(57)【要約】  携帯電子装置が、当該電子装置へ／からデータ通信を行うためのデータ入出力（Ｉ／Ｏ）回路と、第１のコネクタピンアウトを定義する第１のデータ転送標準規格に準拠するデータＩ／Ｏ回路を制御するように動作する第１のロジック部と、当該第１のロジック部とは異なり、かつ、第１のコネクタピンアウトとは異なる第２のコネクタピンアウトを定義する第２のデータ転送標準規格に準拠するデータＩ／Ｏ回路を制御するように動作する第２のロジック部と、を含む。上記装置は、第１のロジック部又は第２のロジック部をデータＩ／Ｏ回路に選択的に接続させるように動作して、第１のデータ転送標準規格又は第２のデータ転送標準規格に準拠するデータＩ／Ｏ回路の動作を可能にすることを意図する切替ロジック部も含むものである。
2011524096.tif 000002
【特許請求の範囲】
【請求項１】
携帯電子装置であって、
前記携帯電子装置へ、又は、前記携帯電子装置から、データ通信を行うデータ入出力（Ｉ／Ｏ）回路（９）と、
第１のコネクタ・ピンアウトを定義する第１のデータ転送標準規格に準拠して前記データＩ／Ｏ回路を制御する第１のロジック部（２）と、
前記第１のロジック部とは異なり、前記第１のコネクタ・ピンアウトとは異なる第２のコネクタ・ピンアウトを定義する第２のデータ転送標準規格に準拠して前記データＩ／Ｏ回路を制御する第２のロジック部（４）と、
前記第１のデータ転送標準規格又は前記第２のデータ転送標準規格に準拠して前記データＩ／Ｏ回路の動作が行われるように、前記第１のロジック部又は前記第２のロジック部を選択的に前記データＩ／Ｏ回路に接続される切替ロジック部（８）と
を備えることを特徴とする携帯電子装置。
【請求項２】
前記切替ロジック部を動作可能に接続される制御回路と、
前記データＩ／Ｏ回路へ動作可能に接続されるレセプタクルと、
前記レセプタクルと、前記制御回路とに動作可能に接続される検出回路と
をさらに備え、
前記検出回路は、
前記レセプタクルに接続されるコネクタのタイプを検出し、前記制御回路に前記コネクタのタイプを通知し、
前記制御回路は、
前記コネクタのタイプに基づいて、前記第１のロジック部又は前記第２のロジック部を選択するように、前記切替ロジック部に命令することを特徴とする請求項１に記載の携帯電子装置。
【請求項３】
前記切替ロジック部と前記データＩ／Ｏ回路との間に接続され、第１形式のデータを、前記第１形式とは異なる第２形式のデータに変換するロジック／ドライバ・インタフェース回路をさらに備えることを特徴とする請求項２に記載の携帯電子装置。
【請求項４】
前記レセプタクルは、前記データＩ／Ｏ回路に接続される少なくとも２つのコンダクタを有し、
前記検出回路は、前記少なくとも２つのコンダクタ間のインピーダンスを測定するインピーダンス測定回路を有し、測定した前記インピーダンスに基づいて、前記コネクタのタイプを決定することを特徴とする請求項２又は３に記載の携帯電子装置。
【請求項５】
前記切替ロジック部は、デジタル・スイッチを備えることを特徴とする請求項１乃至４の何れか１項に記載の携帯電子装置。
【請求項６】
前記切替ロジック部は、前記データＩ／Ｏ回路を制御するために、前記第１のロジック部又は前記第２のロジック部を選択するソフトウェア・ロジック部を有することを特徴とする請求項１乃至５の何れか１項に記載の携帯電子装置。
【請求項７】
前記切替ロジック部は、第１の入力部と、第２の入力部と、出力部とを備え、
前記第１の入力部は、前記第１のロジック部に動作可能に接続され、
前記第２の入力部は、前記第２のロジック部に動作可能に接続され、
前記出力部は、前記データＩ／Ｏ回路に動作可能に接続されることを特徴とする請求項１乃至６の何れか１項に記載の携帯電子装置。
【請求項８】
前記切替ロジック部は、前記第１の入力部又は前記第２の入力部を前記出力部へ選択的に接続される選択入力部をさらに備えることを特徴とする請求項７に記載の携帯電子装置。
【請求項９】
前記データＩ／Ｏ回路は、ユニバーサル・シリアル・バス（ＵＳＢ）３．０標準規格に基づくことを特徴とする請求項１乃至８の何れか１項に記載の携帯電子装置。
【請求項１０】
前記第１のロジック部は、ＵＳＢ３．０標準規格に基づき、
前記第２のロジック部は、モバイル高品位リンク（ＭＨＬ）標準規格に基づくことを特徴とする請求項１乃至９の何れか１項に記載の携帯電子装置。
【請求項１１】
前記データＩ／Ｏ回路は、少なくとも３つのチャネルを有し、
各チャネルは、差動対として構成されることを特徴とする請求項１乃至１０の何れか１項に記載の携帯電子装置。
【請求項１２】
前記データＩ／Ｏ回路は、
ＵＳＢ２．０標準規格に準拠して構成される第１のデータＩ／Ｏチャネルと、
ＵＳＢ３．０標準規格に準拠して構成される第２及び第３のデータＩ／Ｏチャネルと
を有することを特徴とする請求項１乃至１１の何れか１項に記載の携帯電子装置。
【請求項１３】
前記第１のロジック部は、ＵＳＢ３．０標準規格に基づき、
前記第２のロジック部は、モバイル高品位リンク（ＭＨＬ）標準規格に基づき、
前記第２のロジック部が選択されると、前記第１のデータＩ／Ｏチャネルは、前記ＭＨＬ標準規格に準拠した画素クロック・チャネルとして構成され、前記第２及び第３のデータＩ／Ｏチャネルの少なくとも１つは、前記ＭＨＬ標準規格に準拠した画素データ・チャネルとして構成されることを特徴とする請求項１２に記載の携帯電子装置。
【請求項１４】
双方向無線通信を確立するための呼回路さらに備えることを特徴とする請求項１乃至１３の何れか１項に記載の携帯電子装置。
【請求項１５】
前記携帯電子装置は、モバイル電話機、ページャ、電子手帳、パーソナル・デジタル・アシスタント、及びスマートフォンのうちの少なくとも１つであることを特徴とする請求項１乃至１４の何れか１項に記載の携帯電子装置。
【請求項１６】
前記データＩ／Ｏ回路、前記第１のロジック部、前記第２のロジック部及び前記切替ロジック部は同じチップ上に形成されることを特徴とする請求項１乃至１５の何れか１項に記載の携帯電子装置。
【請求項１７】
２つの異なるデータ転送標準規格に準拠してデータを転送するために、レガシー・ユニバーサル・シリアル・バス（ＵＳＢ）２．０データ転送回路と、第１及び第２のＵＳＢ３．０データ転送回路と、を含むＵＳＢ３．０データ・ポートを用いる方法であって、
前記データ・ポートに挿入されたコネクタがＵＳＢコネクタである場合に、前記レガシーＵＳＢ２．０データ転送回路と、ＵＳＢ３．０標準規格に準拠する前記第１及び第２のＵＳＢ３．０データ転送回路とを用いるステップと、
前記データ・ポートに挿入されたコネクタがＭＨＬコネクタである場合に、ＭＨＬ標準規格に準拠する画素クロック回路として前記レガシーＵＳＢ２．０データ転送回路を用い、前記ＭＨＬ標準規格に準拠する画素データ回路として前記第１と第２のＵＳＢ３．０データ転送回路のうちの少なくとも一方のデータ転送回路を用いるステップと
を含むことを特徴とする方法。
【請求項１８】
前記データ・ポートの中へ挿入されたコネクタがＵＳＢコネクタであるか、又は、モバイル高品位リンク（ＭＨＬ）コネクタであるかを判定する判定ステップをさらに含むことを特徴とする請求項１７に記載の方法。
【請求項１９】
前記判定ステップは、
前記コネクタの終端間のインピーダンスを測定するステップと、
前記測定したインピーダンスに基づき、前記コネクタがＵＳＢコネクタであるか、又は、ＭＨＬコネクタであるかを決定するステップと
そ含むことを特徴とする請求項１７又は１８に記載の方法。
【請求項２０】
２つの異なるデータ転送標準規格に準拠してデータを転送するための、データ信号用のデータ入出力（Ｉ／Ｏ）回路を含むデータ・ポートを用いる方法であって、
前記データ・ポートに挿入されたコネクタが第１のデータ転送標準規格に関連づけられたコネクタである場合に、第１のデータ転送標準規格に準拠してデータＩ／Ｏ回路を構成するステップと、
前記データ・ポートに挿入されたコネクタが第２のデータ転送標準規格に関連づけられたコネクタである場合に、第２のデータ転送標準規格に準拠してデータＩ／Ｏ回路を構成するステップと
を含むことを特徴とする方法。
【請求項２１】
前記データ・ポートの中へ挿入されたコネクタが第１のデータ転送標準規格に関連づけられたコネクタであるか、第２のデータ転送標準規格に関連づけられたコネクタであるかを決定するステップをさらに含むことを特徴とする請求項２０に記載の方法。
【請求項２２】
前記第１のデータ転送標準規格は、ユニバーサル・シリアル・バス（ＵＳＢ）３．０であり、
前記第２のデータ転送標準規格は、モバイル高品位リンク（ＭＨＬ）標準規格であることを特徴とする請求項２０又は２１に記載の方法。
【請求項２３】
前記データ・ポートは、レガシーＵＳＢ２．０データ転送回路と、第１及び第２のＵＳＢ３．０データ転送回路とを含み、
前記方法はさらに、
前記コネクタがＵＳＢコネクタであると決定された場合、前記レガシーＵＳＢ２．０データ転送回路と、ＵＳＢ３．０標準規格に準拠する前記第１及び第２のＵＳＢ３．０データ転送回路とを用いるステップと、
前記コネクタがＭＨＬコネクタであると決定された場合、ＭＨＬ標準規格に準拠する画素クロック回路としてレガシーＵＳＢ２．０データ転送回路を用い、第１及び第２のＵＳＢ３．０データ転送回路のうちの少なくとも一方のデータ転送回路をＭＨＬ標準規格に準拠する画素データ回路として用いるステップと
を含むことを特徴とする請求項２２に記載の方法。
【発明の詳細な説明】
【技術分野】
【０００１】
本発明は、一般に、音声通信に係る電子装置や、メディアコンテンツのレンダを行う電子装置や、ゲーム用電子装置のような電子装置に関する。より詳細には、本発明は電子装置と共に用いられるシステムデータポートに関する。
【背景技術】
【０００２】
移動電子装置と無線電子装置の少なくともいずれかの電子装置がますますポピュラーなものになりつつある。例えば、モバイル電話機、携帯用メディアプレイヤ及び携帯用ゲーム装置が現在広く普及して使用されている。さらに、或る特定の種類の電子装置と関連づけられた特徴及び付属部品についてはますます多様化が進んでいる。２、３の例を挙げると、多くの電子装置が、カメラ、テキストメッセージ交換機能、インターネット閲覧機能、電子メール機能、ビデオ再生機能、オーディオ再生機能、画像表示機能及びハンズフリー・ヘッドセット・インタフェースを備えている。付属部品の例にはまたヘッドホン、音楽及びビデオ入力プレイヤなども含むことができる。
【０００３】
映画クリップ、写真などのようなデータを電子装置間で移動させるために、又は、オーディオとビデオの少なくともいずれかのデータを電子装置から出力するために、電子装置を（例えば、コンピュータ、別の電子装置、表示装置、オーディオ装置のような）別の装置と通信可能に接続するケーブル媒体が頻繁に使用される。このようなケーブル媒体は典型的には、２つのコネクタ（複数の装置のそれぞれの装置に対し１つのコネクタ）と、個々のコネクタ内の複数の端末と、個々のコネクタ内の端末を接続する電気導体とを含む。ケーブルを介して電子装置へ／からデータを転送するために、コネクタのうちの１つが電子装置内のレセプタクル（このレセプタクルも対応する各種端子を含む）に接続され、かつ、相手方のコネクタは（コンピュータ、電子装置などの）相手方装置のレセプタクルに接続されている。この接続によって１以上の電気回路が完成され、これによって装置間のデータ転送が可能になる。
【０００４】
電子装置によるデータ交換を可能にする種々の標準規格がこれまで開発されているが、そのような標準規格の例には、ユニバーサル・シリアル・バス（ＵＳＢ）、ファイヤーワイヤ（ＩＥＥＥ１３９４）、高品位マルチメディアインタフェース（ＨＤＭＩ）などが含まれる。これらの標準規格の各々を適合させるために、電子装置において通常専用データポートが採用される。例えば、ＵＳＢとファイヤーワイヤ機能の双方を有する電子装置には、通常ＵＳＢ用の専用ポートと、ファイヤーワイヤ用の専用ポートとが含まれている。
【０００５】
電子装置に関して広がる傾向にあるトレンドとして、このような装置のサイズと重さの少なくともいずれかの軽減化がある。例えば、同じ機能あるいは前世代の電子装置よりもさらに多くの機能を同時に詰め込んでいながら、音声通信で採用されている電子装置は、電子装置をワイシャツやズボンのポケットに快適に入れることが可能な寸法に達している。
【発明の概要】
【発明が解決しようとする課題】
【０００６】
現在ＵＳＢは電子装置間でのデータ交換手段の１つとして最も広く受け入れられているものである。近い将来、電話、ゲーム用装置などのような携帯電子装置はＵＳＢインタフェースを備えるようになることが予想される。
【０００７】
新たなインタフェース標準規格（すなわち、ＨＤＭＩ標準規格と互換性のあるモバイル高品位リンク（ＭＨＬ）が現在電子装置において出現しつつある。ＵＳＢとＭＨＬの双方に対する接続を提供するために、電子装置はこれらの接続を適合させる特定のポートと、比較的多数のピンの少なくともいずれかを必要とする。電子装置に設けられたポート数が増加するか、電子装置のサイズが減少するかの少なくともいずれかが生じるにつれて、他の用途のために電子装置上で利用可能なスペースは狭くなり、これは好ましいことではない。
【０００８】
本発明に係る装置及び方法は、（ＵＳＢ３．０及びＭＨＬなどの）複数の通信標準規格用として用いることが可能な単一のデータポートを提供するものである。特に、（ＭＨＬ信号及びＵＳＢ信号などの）異なる信号タイプは、（標準ＵＳＢ３．０用ピンアウトなどの）同じピンアウトにおいて２つの通信標準規格を可能にすることを意図して、（例えばソフトウェアを介して物理的に切り替えられたり、選択されたりする）多重化が可能である。例えば、ＵＳＢ３．０標準規格は、ＵＳＢ２．０との下位互換性を保持するためにレガシー４８０Ｍｂｉｔ／秒の差動対と、（約５Ｇｂｉｔ／秒の）「超速」モードに対応する２つの新たな一方向差動対とを含むことになる。ＵＳＢ３．０及び２．０のデータ転送のために、これらの差動対は、記載したようにＵＳＢ３．０標準規格の下で用いることができる。ＭＨＬデータ転送のために、レガシー差動対をＭＨＬ画素クロックとして用いることができると共に、ＵＳＢ３．０送信に用いられるこの差動対をＭＨＬ画素データ用としても用いることができる。専用標準規格に準拠してデータポートを制御するために、個々の標準規格に準拠してロジック部の切替えか、選択かのいずれかを行って、専用標準規格に準拠してこれらの回路を動作させることができるようにデータポートのＩ／Ｏ回路の制御を行うことが可能である。これによって、ピンカウントとコネクタフットプリントの少なくともいずれかを同時に減らしながら、インタフェース用としてこれらに必要な複数のデータ転送標準規格を介して電子装置によるデータ転送を行うことが可能になる。
【課題を解決するための手段】
【０００９】
本発明の１つの側面によれば、携帯電子装置が、該携帯電子装置へ／からデータの通信を行うためのデータ入出力（Ｉ／Ｏ）回路と、第１のコネクタを定義する第１のデータ転送標準規格に準拠してデータＩ／Ｏ回路を制御するように動作する第１のロジック部と、第１のロジック部とは異なり、かつ、第１のコネクタとは異なる第２のコネクタを定義する第２のデータ転送標準規格に準拠してデータＩ／Ｏ回路を制御するように動作する第２のロジック部と、第１のロジック部又は第２のロジック部をデータＩ／Ｏ回路に選択的に接続して、第１のデータ転送標準規格又は第２のデータ転送標準規格に準拠するデータＩ／Ｏ回路の動作を動作可能にするように動作する切替ロジック部とを含む。
【００１０】
本発明の１つの側面によれば、携帯電子装置は、切替ロジック部と動作可能に接続された制御回路と、データＩ／Ｏ回路へ動作可能に接続されたレセプタクルと、レセプタクル及び制御回路と動作可能に接続された検出回路と、を含む。上記検出回路は、レセプタクルに接続されたコネクタのタイプを検出し、該コネクタのタイプを制御回路へ通信するように構成されると共に、該制御回路は、上記コネクタのタイプに基づいて第１のロジック部又は第２のロジック部を選択するように切替ロジック部に命令するように動作する。
【００１１】
本発明の１つの側面によれば、上記装置は切替ロジック部とデータＩ／Ｏ回路との間で接続されたロジックインタフェース回路を含み、その場合、該ロジックインタフェースは、第１のフォーマットから、該第１のフォーマットとは異なる第２のフォーマットへデータの変換を行う。
【００１２】
本発明の１つの側面によれば、上記レセプタクルはデータＩ／Ｏ回路に接続された少なくとも２つのコンダクタを含み、かつ、上記検出回路は少なくとも２つのコンダクタ間のインピーダンスを測定するように構成されたインピーダンス測定回路を含み、その場合、上記検出回路は測定済みインピーダンスに基づいて上記コネクタのタイプの判定を行う。
【００１３】
本発明の１つの側面によれば、切替ロジック部はデジタル・スイッチを備える。
【００１４】
本発明の１つの側面によれば、切替ロジック部は、データＩ／Ｏ回路を制御する第１のロジック部又は第２のロジック部のいずれかの回路を選択するように動作するソフトウェア・ロジック部を備える。
【００１５】
本発明の１つの側面によれば、切替ロジック部は第１の入力部、第２の入力部及び出力部を備え、かつ、第１の入力部は第１のロジック部と動作可能に接続され、第２の入力部は第２のロジック部と動作可能に接続され、さらに、出力部はデータＩ／Ｏ回路と動作可能に接続される。
【００１６】
本発明の１つの側面によれば、切替ロジック部は、第１の入力部又は第２の入力部を選択的に出力部に接続するように動作する選択入力部をさらに含む。
【００１７】
本発明の１つの側面によればデータＩ／Ｏ回路はＵＳＢ３．０標準規格に基づくものである。
【００１８】
本発明の１つの側面によれば、第１のロジック部はＵＳＢ３．０標準規格に基づくものであり、かつ、第２のロジック部はモバイル高品位リンク（ＭＨＬ）標準規格に基づくものである。
【００１９】
本発明の１つの側面によれば、データＩ／Ｏ回路は少なくとも３つのチャネルを備え、各チャネルは差動対として構成される。
【００２０】
本発明の１つの側面によれば、データＩ／Ｏ回路は、ＵＳＢ２．０標準規格に準拠して構成された第１のデータ・チャネルと、ＵＳＢ３．０標準規格に準拠して構成された第２及び第３のデータ・チャネルとを含む。
【００２１】
本発明の１つの側面によれば、第１のロジック部はＵＳＢ３．０標準規格に基づくものであり、かつ、第２のロジック部はモバイル高品位リンク（ＭＨＬ）標準規格に基づくものであると共に、第２のロジック部が選択されると、第１のデータ・チャネルはＭＨＬ標準規格に準拠して画素クロック・チャネルとして構成され、かつ、（ＵＳＢ送信に用いられる差動対などの）第２及び第３のデータ・チャネルのうちの少なくとも一方のデータ・チャネルはＭＨＬ標準規格に準拠する画素データ・チャネルとして構成される。
【００２２】
本発明の１つの側面によれば上記装置は双方向無線通信を確立するための呼回路を含む。
【００２３】
本発明の１つの側面によれば、上記電子装置は、モバイル電話機、ページャ、電子手帳、パーソナル・デジタル・アシスタント、及びスマートフォンのうちの少なくとも１つである。
【００２４】
本発明の１つの側面によれば、データＩ／Ｏ回路、第１のロジック部、第２のロジック部及び切替ロジック部は同じチップ上に形成される。
【００２５】
本発明の１つの側面によれば、２つの異なるデータ転送標準規格に準拠してデータを転送するためにユニバーサル・シリアル・バス（ＵＳＢ）３．０データポートを用いる方法であって、該データポートは、レガシーＵＳＢ２．０データ転送回路と、第１及び第２のＵＳＢ３．０データ転送回路と、を含み、上記方法は、データポートに挿入されたコネクタがＵＳＢコネクタであるとき、レガシーＵＳＢ２．０データ転送回路と、ＵＳＢ３．０標準規格に準拠する第１及び第２のＵＳＢ３．０データ転送回路とを用いるステップと、ＭＨＬ標準規格に準拠して画素クロック回路としてレガシーＵＳＢ２．０データ転送回路を用いるステップと、データポートに挿入されたコネクタがＭＨＬコネクタであるとき、ＭＨＬ標準規格に準拠する画素データ回路として（ＵＳＢ送信用として用いられる差動対などの）第１と第２のＵＳＢ３．０データ転送回路のうちの少なくとも一方のデータ転送回路を用いるステップとを含む。
【００２６】
本発明の１つの側面によれば、本方法は、データポートの中へ挿入されたコネクタがＵＳＢコネクタであるか、モバイル高品位リンク（ＭＨＬ）コネクタであるかを判定するステップを含む。
【００２７】
本発明の１つの側面によれば、２つの異なるデータ転送標準規格に準拠してデータを転送するためのデータポートを用いる方法であって、該データポートはデータ信号用データ入出力（Ｉ／Ｏ）回路を含み、上記方法は、データポートに挿入されたコネクタが第１のデータ転送標準規格に関連づけられたコネクタであるとき、第１のデータ転送標準規格に準拠してデータＩ／Ｏ回路を構成するステップと、データポートに挿入されたコネクタが第２のデータ転送標準規格に関連づけられたコネクタであるとき、第２のデータ転送標準規格に準拠するデータＩ／Ｏ回路を構成するステップと、を含む。
【００２８】
本発明の１つの側面によれば、本方法は、データポートの中へ挿入されたコネクタが第１のデータ転送標準規格に関連づけられたコネクタであるか、第２のデータ転送標準規格に関連づけられたコネクタであるかを決定するステップを含む。
【００２９】
本発明の１つの側面によれば、第１のデータ転送標準規格は、ユニバーサル・シリアル・バス（ＵＳＢ）３．０であり、かつ、第２のデータ転送標準規格はモバイル高品位リンク（ＭＨＬ）標準規格である。
【００３０】
本発明の１つの側面によれば、上記データポートはレガシーＵＳＢ２．０データ転送回路と、第１及び第２のＵＳＢ３．０データ転送回路とを含み、該方法はさらに、上記コネクタがＵＳＢコネクタであると決定された場合、レガシーＵＳＢ２．０のデータ転送回路と、ＵＳＢ３．０標準規格に準拠する第１及び第２のＵＳＢ３．０データ転送回路とを用いるステップと、コネクタがＭＨＬコネクタであると判定された場合、ＭＨＬ標準規格に準拠する画素クロック回路としてレガシーＵＳＢ２．０データ転送回路を用いるステップと、第１及び第２のＵＳＢ３．０データ転送回路のうちの少なくとも一方のデータ転送回路をＭＨＬ標準規格に準拠する画素データ回路として用いるステップと、を含む。
【００３１】
本発明の１つの側面によれば、決定ステップは、測定済みインピーダンスに基づいてコネクタの端末間のインピーダンスを測定して、コネクタがＵＳＢコネクタであるか、ＭＨＬコネクタであるかについて結論を下すステップを含む。
【００３２】
本発明のこれらの特徴並びにさらなる特徴は、以下の説明及び添付図面を参照することによって明らかになるであろう。上記説明と図面において、本発明の原理を採用できる方法のうちのいくつかの方法を示すものとして本発明の特定の実施形態が詳細に開示されてはいるが、この開示に対応して本発明がこれらの実施形態に範囲を限定されるものではないことは明らかである。逆に、本発明は本明細書に添付の請求項の範囲に属するすべての変更、修正及び均等物を含むものである。
【００３３】
１つの実施形態に関して説明と例示の少なくともいずれかを行った上記特徴は、１以上の他の実施形態において、もしくは、その他の実施形態の特徴とを組み合わされた形か、その他の実施形態の特徴の代わりの形かの少なくともいずれかの形で、同じ方法もしくは同様の方法で利用することが可能である。
【００３４】
本明細書で使用される場合、「含む（comprise／comprising）」という用語は、言及された特徴、数値、ステップ又は構成要素の存在を特定するために用いられるが、これら以外の特徴、数値、ステップ、構成要素、又はこれらのグループの存在又は追加を排除するものではないという点を強調しておく。
【図面の簡単な説明】
【００３５】
【図１】本発明に係る多機能データポート用の共通の駆動回路への、ＵＳＢ３．０ロジック部及びＭＨＬロジック部の切替え例を示すブロック図である。
【図２】本発明の実施形態に係る電子装置例としてのモバイル電話機を示す概略図である。
【図３】本発明の実施形態に係る図２のモバイル電話機の関連部分を示す概略ブロック図である。
【図４】本発明に係る多機能データポートを採用したトランシーバの構成例を示すブロック図である。
【図５】本発明に係る多機能データポートを採用したトランシーバの別の構成例を示すブロック図である。
【図６】本発明に係るデータポートと共に使用できる例示のケーブル及びコネクタの概略図である。
【発明を実施するための形態】
【００３６】
以下図面を参照して本発明の実施形態を説明するが、図面を通じて同一の参照番号は同様の要素を参照するために使用される。これらの図は必ずしも縮尺どおりではないことは理解されよう。
【００３７】
「電子機器」及び「電子装置」という交換可能な用語は携帯用無線通信機器を含むものとする。「携帯用無線通信機器」という用語は、本明細書において以後「モバイル無線端末」を意味するものとするが、この用語は、モバイル電話機、ポケベル、コミュニケータ、電子手帳、パーソナル・デジタル・アシスタント（ＰＤＡ）、スマートフォン、携帯通信装置、携帯用ゲーム装置、（ビデオとオーディオの少なくともいずれかの）携帯用媒体装置等のようなすべての機器を含むものとする。
【００３８】
本願では主としてモバイル電話機に関連して本発明の実施形態について説明を行う。しかし、本発明がモバイル電話機という文脈に限定されることを意図するものではないこと、及び、任意の種類の適当な電子機器に関するものであってもよいことは理解できよう。
【００３９】
電子装置の記憶容量と機能がますます増加するにつれて、このような電子装置においてより高速なデータ転送インタフェースが絶えず実装されている。ユニバーサル・シリアル・バス（ＵＳＢ）３．０は高速データ転送用として導入される最新バージョンのＵＳＢ標準規格であり、電子装置が近い将来このインタフェースをサポートすることが予想されている。出現が予想される別の標準規格としてモバイル高品位リンク（ＭＨＬ）があり、これはＨＤＭＩ（高品位マルチメディアインタフェース）の機能を提供しながら、しかも実質的により少数のピンを備えたインタフェースを提案するものである。ＭＨＬは、高品位ディスプレイとテレビの少なくともいずれかとの電子装置の接続を可能にするものである。
【００４０】
モバイル電話機、携帯用ゲーム装置などのような電子装置がＵＳＢ３．０の機能とＭＨＬの機能の双方の機能を含むことできるようにすることが望ましい。しかし、電子装置のサイズの縮小と、異なる標準規格には通常異なるコネクタが必要となるという事実とに起因して、双方のインタフェースに適合する十分なスペースを装置の中に見出すことは困難であると考えられる。
【００４１】
本発明に係る装置及び方法は、ＵＳＢ３．０データポートのような複数のピンを含むデータポートを動作可能にして、ＵＳＢ３．０のデータポートとして、かつ、ＭＨＬ標準規格のような別の標準規格に準拠するデータポートとしても用いるようにするものである。以下さらに詳細に説明するように、（ＵＳＢ３．０及びＭＨＬのような）２つの異なる通信標準規格は異なるロジック部を介して入出力（Ｉ／Ｏ）回路を選択的に制御することにより共通のデータポート又はピンアウトを共有する。同じデータポートの共有によって、電子装置において２つの異なる通信標準規格を全て動作可能にしながら電子装置上の未使用空間が最大化されると共に、コストが最小化されることになる。
【００４２】
当業者によってより周知されているように、ＵＳＢ信号は半二重差動シグナリングを用いてツイスト・ペアデータケーブルで送信される。現在、２つの承認されているＵＳＢ標準規格（ＵＳＢ１．１及びＵＳＢ２．０）と、１つの提案されている標準規格（ＵＳＢ３．０）とが存在する。ＵＳＢ１．１は１２Ｍｂｉｔ／秒の最大速度を有し、ＵＳＢ２．０は４８０Ｍｂｉｔ／秒の最大速度を有し、ＵＳＢ３．０は５Ｇｂｉｔ／秒の最大速度を提案している。５Ｇｂｉｔ／秒のデータレートを達成するために、ＵＳＢ３．０には２つの高速一方向差動対が含まれている。ＵＳＢ３．０にはレガシーＵＳＢ２．０の４８０Ｍｂｉｔ／秒の差動対ケーブルも含まれ、これによって下位互換性が保持される。換言すれば、提案されているＵＳＢ３．０標準規格は、ＵＳＢ２．０プラス約５Ｇｂｉｔ／秒で動作する少なくとも２つの追加の一方向差動対を有することになる。
【００４３】
ＵＳＢとは対照的に、ＨＤＭＩは画素クロック用の１つの差動対と、画素データ用の３つの差動対（通常赤、緑及び青データに対して１対）とを利用するものである。ＭＨＬはＨＤＭＩをベースにするものであるが、すべてのカラー成分を１つの差動対で送信することによってピンカウントを減らすようになっている。この結果、ＨＤＭＩにより必要とされるすべてのフォーマットを処理する機能を備えながら、ＭＨＬ用のピンカウントは、ＨＤＭＩ用の１９個と比べて、５個（例えば、画素クロック用の２個のピン、画素データ用の２個のピン及び接地用の１個のピン）となる。（画素当たり２４ビットで６０Ｈｚにおいて１９２０画素×１０８０画素の代表的フルスペック・ハイビジョンＨＤ解像度を想定した場合）画素データに必要なビットレートは約３Ｇｂｉｔ／秒である。ＨＤＭＩにおいて用いられる（したがってＭＨＬにおいても用いられる）画素クロック周波数は、解像度及び垂直周波数に依存し、かつ、２７ＭＨｚ、７４．２５ＭＨｚ、１６５ＭＨｚ、又は３４０ＭＨｚのうちの１つである。これらの周波数は最も一般的な画素周波数であるが、理解されるように別の周波数も可能である。
【００４４】
本発明に係るデータポートは、ＵＳＢ３．０とＭＨＬの双方（又は何らかの別の標準規格）の動作に対応する共通のピンセットと入出力回路との少なくともいずれかを用いることができる。これは、例えば、多重化、すなわち共通のピンセットと回路の少なくともいずれかの間でそれぞれのデータ転送標準規格に対応してロジック部の切替えを行うことにより達成することができる。
【００４５】
図１はＵＳＢ標準規格とＭＨＬ標準規格間の切替えを示すシンプルなブロック図であり、この図では、ＵＳＢ３．０ロジック部２及びＭＨＬロジック部４は（やはりスイッチ８と呼ばれる）マルチプレクサ８とデータＩ／Ｏ回路９とを介して単一の電気コネクタ６に接続される。さらに詳細には、４８０Ｍｂｉｔ／秒の最大速度を有する（ＵＳＢ２．０との下位互換性として）ＵＳＢ３．０標準規格の中に含まれるレガシー差動対であって、３４０Ｍｂｉｔ／秒の最大速度要件を有するレガシー差動対をＭＨＬ画素クロック用として用いることができる。さらに、（最大速度５Ｇｂｉｔ／秒を有する）ＵＳＢ３．０標準規格の中に含まれている２つの新たな差動対のうちの一方の差動対は、（高いフレームレートと濃い色の少なくともいずれかに対してさらなる高速も可能ではあるが、通常３Ｇｂｉｔ／秒の最大速度を有する）ＭＨＬ画素データのために使用することができる。したがって、適切なロジック部間での選択的切替えを介して、共通のデータポートにおけるＵＳＢ３．０とＭＨＬ双方のサポートが可能となり、これによって電子装置に設けられたレセプタクルとピンの少なくともいずれかの数が最小化されることになる。ＵＳＢ３．０とＭＨＬ双方の切替えに関するさらなる詳細については図４及び図５を参照しながら後述する。
【００４６】
次に図２及び図３を参照すると、電子装置１０が示されている。この実施形態例の電子装置はモバイル電話機であり、モバイル電話機１０と呼ぶことにする。モバイル電話機１０はレンガ又はブロックフォームファクタとして示されてはいるが、（「シェル型」ハウジングのような）「フリップオープン型」フォームファクタ又は（「スライダ型」ハウジングのような）スライド型フォームファクタのような他の種類のフォームファクタを用いてもよい。
【００４７】
モバイル電話機１０はディスプレイ１４を備えてもよい。ディスプレイ１４は、動作状態、時刻、電話番号、連絡先情報、種々のナビゲーションメニューなどのような情報をユーザに対して表示する。この情報によってユーザはモバイル電話機１０の種々の機能を利用することが可能になる。ディスプレイ１４を用いて、モバイル電話機１０が受信した内容と、モバイル電話機１０のメモリ１６（図３）から取り出した内容の少なくともいずれかの内容を視覚的に表示することも可能である。
【００４８】
キーパッド１８はユーザによる様々な入力操作を提供する。例えば、キーパッド１８には通常、電話番号、電話リスト、連絡先情報、メモなどのような英数字情報の入力を可能にする英数字キーが含まれている。さらに、キーパッド１８には通常、呼を起動するか、呼に応答するかのいずれかを行うための「呼送信」キー、及び、呼を終了するための「呼終了」キー、又は呼の「停止」キーのような特別の機能キーが含まれている。ディスプレイ１４に関連づけられたタッチスクリーンとしてキー又はキー様の機能を具現化することも可能である。
【００４９】
モバイル電話機１０には、モバイル電話機１０が通常他のモバイル電話機か有線電話機である被呼／発呼装置と呼を確立するか、信号を交換するかの少なくともいずれかを可能にする通話回路が含まれている。しかし、被呼／発呼装置は、他の電話機である必要はなく、インターネットウェブサーバ、コンテンツ提供サーバなどのような他の何らかの装置であってもよい。呼は任意の好適な形をとることも可能である。例えば、呼はセルラ回線交換ネットワークを介して確立される従来方式の呼であってもよいし、あるいは、セルラネットワークのパケット交換機能を介して、あるいは、（ＩＥＥＥ８０２．１１標準規格に基づくネットワークなどの）ＷｉＦｉ、（ＩＥＥＥ８０２．１６標準規格に基づくネットワークなどの）ＷｉＭＡＸ等のような他のパケット交換ネットワークを介して確立されるボイス・オーバ・インターネットプロトコル（ＶｏＩＰ）電話であってもよい。
【００５０】
図３はモバイル電話機１０の機能ブロック図を表す図である。簡潔さを旨として、モバイル電話機１０の概ね従来のものである機能については本明細書ではあまり詳細には説明しない。
【００５１】
モバイル電話機１０は、モバイル電話機１０の機能及び動作の制御全体を実行するように構成された主制御回路２０を含む。制御回路２０は、ＣＰＵ、マイクロコントローラ又はマイクロプロセッサのような処理装置２２を含むものであってもよい。処理装置２２は、制御回路２０内のメモリ（図示せず）内か、メモリ１６のような独立のメモリ内かの少なくともいずれかのメモリ内に保存されたコードを実行して、モバイル電話機１０の動作の実行を図ることを目的とするものである。メモリ１６は、不揮発性メモリを用いて実現されるリードオンリメモリエリアと、揮発性メモリを用いて実現されるランダムアクセスメモリエリア又はシステムメモリエリアとを含んでもよい。
【００５２】
引き続き図２及び図３を参照すると、モバイル電話機１０には、無線回路２６に接続されたアンテナ２４が含まれている。無線回路２６には、一般に行われているように、アンテナ２４を介して信号の送受信を行うための無線周波数送受信機が含まれる。無線回路２６は、移動通信システムにおいて動作するように構成することができると共に、データとオーディオビジュアル・コンテンツとの少なくともいずれかの送受信を行うために用いることができる。移動無線ネットワークと放送ネットワークの少なくともいずれかのネットワークとのインタラクションを行うための受信機には、ＧＳＭ、ＣＤＭＡ、ＷＣＤＭＡ、ＧＰＲＳ、ＷｉＦｉ、ＷｉＭＡＸ、ＤＶＢ−Ｈ、ＩＳＤＢ−Ｔなどと、これら標準規格の上位バージョンとが含まれるが、これらのみに限定されるわけではない。
【００５３】
モバイル電話機１０には、無線回路２６によって送信されるオーディオ信号と、無線回路２６から受信されるオーディオ信号とを処理するための音声信号処理回路２８がさらに含まれている。一般に行われているように、モバイル電話機１０を介してユーザが聴き、かつ、通話できるスピーカ３０及びマイク３２が音声処理回路２８に接続されている。無線回路２６及び音声処理回路２８は処理全体を実行できるように制御回路２０と個々に接続される。ユーザへの再生用として、制御回路２０から音声信号処理回路２８へオーディオデータを渡すことができる。音声処理回路２８は任意の適当なバッファ、デコーダ、増幅器などを含むものであってもよい。
【００５４】
ディスプレイ１４はビデオ処理回路３４によって制御回路２０に接続することができ、当該ビデオ処理回路３４はディスプレイ１４の駆動に用いられるビデオ信号にビデオデータを変換する。ビデオ処理回路３４は、任意の適当なバッファ、デコーダ、ビデオデータプロセッサなどを含むものであってもよい。上記ビデオデータは、制御回路２０によって生成されてもよいし、メモリ１６内に保存されたビデオファイルから取り出されてもよいし、無線回路２８によって受信された着信ビデオデータストリームから導き出されてもよいし、あるいは、任意の他の好適な方法によって取得されてもよい。
【００５５】
モバイル電話機１０はまた、制御回路２０のような、移動電話１０の種々の構成要素を計時するためのシステムクロック４０を含んでもよい。制御回路２０は、順次、タイムスタンプ及び日付スタンプなどのコンテンツを生成しながら、通話時間のような計時機能を実行することができる。
【００５６】
モバイル電話機１０は１以上のレセプタクル６をさらに含んでもよい。このレセプタクルは標準規格仕様又は独自仕様のモバイル電話機用レセプタクルの形のものであってもよく、かつ、１以上の電気コネクタを含んでもよい。レセプタクル６はモバイル電話機１０をデータ交換用データケーブルを介してパーソナルコンピュータ又は他の装置と接続する役割を果たす。実施形態例では、レセプタクル６はＵＳＢ３．０互換レセプタクルである。
【００５７】
検出ロジック部３８はレセプタクル及び制御回路２０と動作可能に接続される。検出ロジック部３８はレセプタクル６の中へ挿入されるコネクタが（ＵＳＢデータ転送と共に用いるコネクタなどの）第１のタイプであるか、あるいは、（ＭＨＬデータ転送と共に用いるコネクタなどの）第２のタイプであるかを決定するように動作する。検出ロジック部３８がコネクタのタイプを決定すると、この情報は制御回路２０へ通信される。
【００５８】
データＩ／Ｏ回路９はレセプタクル６にも接続され、かつ、装置間でデータを転送する従来の任意の手段を備えてもよい。図３に示す実施形態例では、データＩ／Ｏ回路９はＵＳＢ３．０及びＭＨＬ標準規格の双方と互換性を有する回路を備える。換言すれば、データＩ／Ｏ回路９は１以上のＵＳＢ２．０対応差動対と、少なくとも２つの５Ｇｂｉｔ／秒差動対とを駆動するための回路を含むものである。
【００５９】
さらに、ＵＳＢ３．０ロジック部２とＭＨＬロジック部４とは制御回路２０と通信可能に接続される。その場合、制御回路２０はデータを提供するか、ＵＳＢと、ＭＨＬロジック部２及び４からデータを受信するかの少なくともいずれかを行うように動作する。さらに、ＵＳＢロジック部２及びＭＨＬロジック部４はスイッチ８と動作可能に接続され、かつ、スイッチ８の単複の出力部はデータＩ／Ｏ回路９と動作可能に接続される。スイッチ８は制御回路２０とも動作可能に接続され、それによって、制御回路２０は、データＩ／Ｏ回路９の制御を行うためにＵＳＢロジック部２又はＭＨＬロジック部４の選択ができるようになっている。
【００６０】
ＵＳＢ３．０及びＭＨＬロジック部が図３に図示されてはいるが、本発明の範囲から逸脱することなく、別のタイプのロジック部を利用してもよいことを付記しておく。さらに、単一のスイッチ８のみが図示されてはいるが電子装置は複数のスイッチを備えてもよい。スイッチ８は、少なくとも２つのデータ入力部、１以上のアドレス又は「選択」入力部及び出力部を有する従来型のデジタル・スイッチであってもよい。選択入力部の状態に基づいて、少なくとも２つのデータ入力部のうちの一方は出力部と通信可能に接続される。また、ロジック部はハードウェア回路を介して実装されたものとして図示されてはいるが、図５を参照して上述したようにソフトウェアを介して論理機能を実現することも可能である。
【００６１】
図４をさらに参照すると、本発明の１実施形態に係るそれぞれの回路のレイアウト例がさらに詳細に示されている。図４の例では、本発明に係るデータポートの機能は単一のチップ上に形成されたトランシーバ４０の中に実装されている。しかし、上記回路は複数のチップ上に具現化されるか、少なくとも部分的にソフトウェアの形で具現化されるかの少なくともいずれかの具現化が行われてもよい。
【００６２】
例示のトランシーバ４０は前述のＵＳＢ３．０ロジック部２及びＭＨＬロジック部４を含み、これら回路の各々は、アドレスバス４２及びデータバス４４を介して制御回路２０（この制御回路２０は同じチップ上に形成されてもよいし、されなくてもよい）と動作可能に接続される。ＵＳＢ３．０のロジック部２及びＭＨＬロジック部４はＵＳＢ３．０及びＭＨＬ標準規格に準拠するトランシーバ４０上に実装可能である。
【００６３】
ＵＳＢ３．０ロジック部２及びＭＨＬロジック部４はデータＩ／Ｏ回路９と通信するためのＩ／Ｏポイントを含むと共に、これらのＩ／Ｏポイントはスイッチ８と動作可能に接続される。例えば、ＭＨＬロジック部４のＩ／Ｏポイントはスイッチ８の第１の入力バンクに接続されてもよく、かつ、ＵＳＢ３．０のロジック部２のＩ／Ｏポイントはスイッチ８の第２の入力バンクに接続されてもよい。さらに、スイッチ８の第１のバンク又は第２のバンク間の選択を行うためのアドレス入力部（選択入力部）（この選択入力部によって、ＭＨＬとＵＳＢの動作間での選択が行われる）はアドレスバス４２を介して制御回路２０に接続される。
【００６４】
スイッチ８からの出力部はデータＩ／Ｏ回路９の論理インタフェース４６に接続される。論理インタフェース４６は適切なバッファ、増幅器、デコーダなどを含んでもよく、ＵＳＢと、ＭＨＬロジック部２及び４とがデータＩ／Ｏ回路９とのインタフェース及びこれらの制御を可能にする。データ通信用の所定のチャネル数を含んでもよいデータＩ／Ｏ回路９はレセプタクル６の端末（図示せず）に接続される。データＩ／Ｏ回路９の個々のチャネルは、実際の電圧と（データ信号を表す）電流信号の少なくともいずれかをレセプタクル６の端末へ提供するための適切な増幅器、フィルタ、レギュレータなどを含んでもよい。
【００６５】
さらに検出ロジック部３８はレセプタクル６に接続される。上述したように、検出ロジック部３８はレセプタクル６に挿入されたコネクタのタイプを判定するように動作する。
【００６６】
動作中、例えばレセプタクルの２つの端末間のインピーダンスを測定することによって検出ロジック部３８はレセプタクル６を監視する（例えば検出ロジック部はインピーダンス測定回路を含むことができる）。開回路が検出された場合、あるいは、インピーダンスが所定のインピーダンスに合致しなかった場合、検出ロジック部３８は（ＵＳＢ２．０又は３．０コネクタなどの）第１のコネクタのタイプがレセプタクル６の中に挿入されていると結論を下すことができる。一方、開回路が検出されなかった場合、あるいは、インピーダンスが（１０ｋオームインピーダンスなどの）所定のインピーダンスに合致した場合、検出ロジック部３８は（ＭＨＬコネクタなどの）第２のタイプのコネクタがレセプタクル６の中に挿入されていると結論を下すことができる。検出ロジック部３８によって判定されるようなコネクタのタイプはデータバス４４を介して制御回路２０へ通信される。
【００６７】
（検出ロジック部３８によって検出されるような）レセプタクル６の中に挿入されているコネクタに基づいて、制御回路２０は、アドレスバス４２とデータバス４４とを介してＵＳＢロジック部２とＭＨＬロジック部４の少なくともいずれかの回路へ適切なデータを通信する。このデータは、例えば、アドレス情報を含むだけでなく、レセプタクル６に接続されている装置へ送信されるデータと、レセプタクル６に接続されている装置から受信されデータの少なくともいずれかのデータも含んでもよい。さらに、制御回路２０は、（検出ロジック部３８によって検出されるような）レセプタクルの中へ挿入されているコネクタに基づいて、論理インタフェース４６との通信を行うための（ＵＳＢロジック部２又はＭＨＬロジック部４のいずれかのような）適切な入力バンクを選択するように（アドレスバス４２などを介して）スイッチ８に命令する。
【００６８】
ＵＳＢロジック部２とＭＨＬロジック部４の少なくともいずれかの回路は、制御回路２０によって提供されるデータを処理し、次いで、この処理済みのデータに基づいて（データバス４４などを介して）制御回路２０と情報の通信を行う。さらに、ＵＳＢロジック部２又はＭＨＬロジック部４は、情報を提供できるようにスイッチ８を介して論理インタフェース４６と通信を行って、専用標準規格に準拠するデータＩ／Ｏ回路９を介するデータの送受信を可能にする。さらに詳細には、論理インタフェース４６はＵＳＢとＭＨＬロジック部２及び４から得られる情報を変換して、データＩ／Ｏ回路９が使用するフォーマットに変える。逆もまた同様である。
【００６９】
別の実施形態では、トランシーバ４０’は、ＵＳＢ３．０ロジック部と、ＭＨＬロジック部と、切替ロジック部とを含み、これらの回路はメモリ内に保存されたコードを実行するプロセッサによって機能的に実現される。図５はこの実施形態を示す図であり、この図では不揮発性メモリのようなメモリ４８には、該メモリ４８に保存されているＵＳＢ３．０ロジック部２’、ＭＨＬロジック部４’及び切替ロジック部８’が含まれる。上記ロジック部はプロセッサ等によって実行可能なコンピュータコードであってもよく、かつ、コンピュータコード等の形をとってもよい。プロセッサ４９等はメモリ４８に接続され、このメモリ４８内に保存されたロジック部を実行して、本発明に係るデータポートの機能の実現が可能となる。プロセッサ４９はアドレスバス４２とデータバス４４とを介して制御回路２０に接続される。
【００７０】
動作中、図５のデータポートは図４のデータポートと実質的に同一の機能を提供する。しかし、この機能はプロセッサ４９によって実行されるコンピュータコードを介して実行される。例えば、検出ロジック部３８は、図４を参照して説明したような、レセプタクル６の中へ挿入されているコネクタに関する情報を提供することができる。しかし、この情報を制御回路２０へ提供する代わりに、情報はプロセッサ４９へ提供される。
【００７１】
検出ロジック部３８によって提供されるようなコネクタ情報に基づいて、プロセッサ４９は、ＵＳＢロジック部２’又はＭＨＬロジック部４’のいずれかの回路を実行用としてメモリ４８から選択的に取り出すことができる。この意味で、切替ロジック部８’は、ＵＳＢ３．０ロジック部２’又はＭＨＬロジック部４’のいずれかの、メモリ４８からの「選択的取出し」回路である。
【００７２】
適切なロジック部がメモリ４８から取り出されるとすぐに、プロセッサ４９は詳述したような命令を取り出されたロジック部において実行する。特に、ＵＳＢロジック部２’が選択され、取り出された場合、プロセッサは標準ＵＳＢ３．０のフォーマットで論理インタフェース４６へデータを提供する。上記に従って、ＵＳＢ２．０レガシー回路がＵＳＢ２．０標準規格に準拠して制御され、次いで、２つのＵＳＢ３．０高速回路がＵＳＢ３．０標準規格に準拠して制御されることになる。ＭＨＬロジック部４’が選択された場合、プロセッサ４９は標準ＭＨＬフォーマットで論理インタフェース４６へデータを提供する。さらに詳細には、ＵＳＢ３．０高速回路のうちの少なくとも１つの回路に画素データが提供されている間、データＩ／Ｏ回路９のレガシーＵＳＢ２．０回路に画素クロックデータが提供される。トランシーバ４０’の残り部分（すなわち論理インタフェース４６及びデータＩ／Ｏ回路９）は図４に関して説明したように動作する。
【００７３】
上記の態様で、単一のデータポートが２つの異なる通信標準規格に準拠するデータ転送機能を提供することが可能となる。例えば、レセプタクル６においてＵＳＢケーブルが検出された場合、ＵＳＢ３．０ロジック部はデータＩ／Ｏ回路９の管理下に置かれ、次いで、ＵＳＢ標準規格に準拠してデータを通信することが可能となる。レセプタクル６においてＭＨＬケーブルが検出された場合、ＭＨＬロジック部４はデータＩ／Ｏ回路９の管理下に置かれ、次いで、ＭＨＬ標準規格に準拠してデータを通信することが可能となる。これによって電子装置において用いられる端末とレセプタクルの少なくともいずれかの数が最小化され、それによってコストの削減と共に、接続の改善が図られることになる。
【００７４】
次に図６へ目を移すと、本発明に係るデータポートと共に使用可能な例示のケーブル５０が示されている。ケーブル５０は、モバイル電話機１０のレセプタクル６を係合するように構成された第１のコネクタ５２を含む。例示のコネクタ５２は一般に矩形の形状（但し別の形状も可能である）を有し、レセプタクル６内の溝部（図示せず）と一体に動作する先細の案内部５４を含んでもよい。案内部５４は、コネクタ５２がレセプタクル６の中へ適切に挿入されることを保証するものである。図示されてはいないが、ケーブル５０は別の装置とインタフェースするように構成された第２のコネクタを含む。第２のコネクタは第１のコネクタと同じ構成を有してもよいし、別の構成を有してもよい。
【００７５】
複数の端末５８が第１のコネクタ５２の頂面５６に沿って配設されている。この実施形態例では８個の端末が図示され、この場合第１のセットの端末５８ａがＵＳＢ２．０標準規格（すなわち、Ｖｃｃ、ＧＮＤ、Ｄ＋及びＤ−）に対応するように配設されている。第２のセットの端末５８ｂは、２つの差動対（Ｄ１＋、Ｄ１−、Ｄ２＋、Ｄ２−）を備え、かつ、ＵＳＢ３．０標準規格に対応するように配設されてもよい。さらに、（抵抗器などの）インピーダンス６０が複数の端末のうちの２つの端末間で接続され、かつ、このインピーダンスを電子装置１０により測定して、ケーブルのコネクタのタイプ（すなわちデータフォーマット）を決定することが可能となる（例えば、無限大のインピーダンスは第１のケーブルタイプを表すことができ、かつ、（１０ｋオームなどの）プリセットされたインピーダンスは第２のケーブルタイプを表すことができる）。
【００７６】
コンピュータプログラミング及びモバイル電話機用プログラミングのアプリケーションに係る当業者であれば、モバイル電話機１０をプログラムするために本明細書に記載されている説明を考慮して、本願に記載の機能を動作させ、かつ、これらの機能を実行することができるであろう。したがって、具体的なプログラミングコードに関する詳細は簡潔さを旨として省略した。また、モバイル電話機１０のメモリ内のソフトウェアを利用して、モバイル電話機が本発明の好適な実施形態による本願に記載の機能及び特徴を実行できるようにしてもよいが、その一方で、本発明の範囲から逸脱することなく、専用ハードウェア、ファームウェア、ソフトウェア、又はこれらの組み合わせを介して、このような機能及び特徴を実行することも可能である。
【００７７】
本発明の特定の実施形態をここに開示した。当業者であれば、本発明が別の環境において別の用途を有することは直に認識できよう。実際、多くの実施形態及び実装構成が可能である。以下の特許請求の範囲は決して本発明の範囲を前記した特定の実施例に限定するものではない。さらに、「〜のための手段」なる記載は構成要素および特許請求の範囲の「手段プラス機能」の表示を喚起するものではあるが、「〜のための手段」なる記載を特に使用していない構成要素は、たとえ特許請求の範囲が「手段」なる用語を含む場合であっても手段プラス機能要素として解釈すべきではない。
【００７８】
本発明のコンピュータプログラム要素は、ハードウェアと、ソフトウェア（ファームウェア、常駐ソフトウェア、マイクロコード、その他を含む）との少なくともいずれかの形で具現化されてもよい。本発明はコンピュータプログラム製品の形をとるものであってもよく、この製品は、命令実行システムにより又は命令実行システムに関連して使用する媒体内において実施されるコンピュータ使用が可能な又は＿コンピュータによる読取りが可能なプログラム命令、「コード」又は「コンピュータプログラム」を有するコンピュータ使用が可能な又はコンピュータによる読取りが可能な記憶媒体により実施することができる。本明細書の文脈では、コンピュータ使用が可能な又はコンピュータによる読取りが可能な媒体は、命令実行システム、機器、又は装置により又はこれらに関して用いるためのプログラムを含み、保存し、通信し、伝播し、又は転送することのできる任意の媒体とすることができる。コンピュータ使用が可能な又はコンピュータによる読取りが可能な媒体は、例えば、電子的、磁気的、光学的、電磁的、赤外線、半導体システム、機器、装置、インターネットなどの伝播媒体であってもよいが、これらに限定されるわけではない。注意すべきことであるが、コンピュータ使用が可能な又はコンピュータによる読取りが可能な媒体は、プログラムを印刷することができる紙や他の適当な媒体であってもよい。なぜならプログラムは、例えば紙又は他の媒体を光学的に走査することにより電子的に捕捉して、適当な方法による編集、変換、又はその他の処理を行うことができるからである。ここに述べたコンピュータプログラム製品及び任意のソフトウェアやハードウェアは、実施形態例において本発明の機能を実行する種々の手段を形成するものである。
【００７９】
或る好適な（単複の）実施形態と関連して、本発明を示し、説明したが、本明細書及び付属図面を読み、理解するとき、均等な変更及び修正が他の当業者の心に浮かぶであろうことは明らかである。上記記載の要素（構成要素、アセンブリ、装置、構成等）により実行される、特に種々の機能に関して、このような要素の記述に用いられる用語（「手段」への言及を含む）は、別段の指示がないかぎり、たとえ、本明細書に例示されている本発明の（単複の）実施形態例において機能を実行する開示済みの構造と構造的に同等でなくても、記載された要素の（機能的に均等な）指定された機能を実行する任意の要素に対応することを意図するものである。さらに、複数の実施形態例のなかの１以上の実施形態例のみに関して、本発明の特定の特徴を記載したかもしれないが、このような特徴は、所望のように、及び、所定の用途か、特別の用途かのいずれかの用途にとって好都合なものとなるように、その他の実施形態の１以上の別の特徴と組み合わせることも可能である。
【図１】
2011524096.tif 000003
【図２】
2011524096.tif 000004
【図３】
2011524096.tif 000005
【図４】
2011524096.tif 000006
【図５】
2011524096.tif 000007
【図６】
2011524096.tif 000008
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
携帯電子装置であって、
ユニバーサル・シリアル・バス（ＵＳＢ）２．０標準規格に準拠して構成される第１のデータＩ／Ｏチャネルと、ＵＳＢ３．０標準規格に準拠して構成される第２及び第３のデータＩ／Ｏチャネルとを有し、前記携帯電子装置へ、又は、前記携帯電子装置から、データ通信を行うデータ入出力（Ｉ／Ｏ）回路（９）と、
ＵＳＢ３．０標準規格に基づく第１のデータ転送規格に準拠して前記データＩ／Ｏ回路を制御する第１のロジック部（２）と、
モバイル高品位リンク（ＭＨＬ）標準規格に基づく第２のデータ転送規格に準拠して前記データＩ／Ｏ回路を制御する第２のロジック部（４）と、
前記第１のデータ転送規格又は前記第２のデータ転送規格に準拠して前記データＩ／Ｏ回路の動作が行われるように、前記第１のロジック部又は前記第２のロジック部を選択的に前記データＩ／Ｏ回路に接続される切替ロジック部（８）と
を備え、
前記第２のロジック部が選択されると、前記第１のデータＩ／Ｏチャネルは、前記ＭＨＬ標準規格に準拠した画素クロック・チャネルとして構成され、前記第２及び第３のデータＩ／Ｏチャネルの少なくとも１つは、前記ＭＨＬ標準規格に準拠した画素データ・チャネルとして構成されることを特徴とする携帯電子装置。
【請求項２】
前記切替ロジック部を動作可能に接続される制御回路と、
前記データＩ／Ｏ回路へ動作可能に接続されるレセプタクルと、
前記レセプタクルと、前記制御回路とに動作可能に接続される検出回路と
をさらに備え、
前記検出回路は、
前記レセプタクルに接続されるコネクタのタイプを検出し、前記制御回路に前記コネクタのタイプを通知し、
前記制御回路は、
前記コネクタのタイプに基づいて、前記第１のロジック部又は前記第２のロジック部を選択するように、前記切替ロジック部に命令することを特徴とする請求項１に記載の携帯電子装置。
【請求項３】
前記切替ロジック部と前記データＩ／Ｏ回路との間に接続され、第１形式のデータを、前記第１形式とは異なる第２形式のデータに変換するロジック／ドライバ・インタフェース回路をさらに備えることを特徴とする請求項２に記載の携帯電子装置。
【請求項４】
前記レセプタクルは、前記データＩ／Ｏ回路に接続される少なくとも２つのコンダクタを有し、
前記検出回路は、前記少なくとも２つのコンダクタ間のインピーダンスを測定するインピーダンス測定回路を有し、測定した前記インピーダンスに基づいて、前記コネクタのタイプを決定することを特徴とする請求項２又は３に記載の携帯電子装置。
【請求項５】
前記切替ロジック部は、デジタル・スイッチを備えることを特徴とする請求項１乃至４の何れか１項に記載の携帯電子装置。
【請求項６】
前記切替ロジック部は、前記データＩ／Ｏ回路を制御するために、前記第１のロジック部又は前記第２のロジック部を選択するソフトウェア・ロジック部を有することを特徴とする請求項１乃至５の何れか１項に記載の携帯電子装置。
【請求項７】
前記切替ロジック部は、第１の入力部と、第２の入力部と、出力部とを備え、
前記第１の入力部は、前記第１のロジック部に動作可能に接続され、
前記第２の入力部は、前記第２のロジック部に動作可能に接続され、
前記出力部は、前記データＩ／Ｏ回路に動作可能に接続されることを特徴とする請求項１乃至６の何れか１項に記載の携帯電子装置。
【請求項８】
前記切替ロジック部は、前記第１の入力部又は前記第２の入力部を前記出力部へ選択的に接続される選択入力部をさらに備えることを特徴とする請求項７に記載の携帯電子装置。
【請求項９】
前記データＩ／Ｏ回路は、少なくとも３つのチャネルを有し、
各チャネルは、差動対として構成されることを特徴とする請求項１乃至８の何れか１項に記載の携帯電子装置。
【請求項１０】
双方向無線通信を確立するための呼回路さらに備えることを特徴とする請求項１乃至９の何れか１項に記載の携帯電子装置。
【請求項１１】
前記携帯電子装置は、モバイル電話機、ページャ、電子手帳、パーソナル・デジタル・アシスタント、及びスマートフォンのうちの少なくとも１つであることを特徴とする請求項１乃至１０の何れか１項に記載の携帯電子装置。
【請求項１２】
前記データＩ／Ｏ回路、前記第１のロジック部、前記第２のロジック部及び前記切替ロジック部は同じチップ上に形成されることを特徴とする請求項１乃至１１の何れか１項に記載の携帯電子装置。
【請求項１３】
２つの異なるデータ転送規格に準拠してデータを転送するために、レガシー・ユニバーサル・シリアル・バス（ＵＳＢ）２．０データ転送回路と、第１及び第２のＵＳＢ３．０データ転送回路と、を含むユニバーサル・シリアル・バス（ＵＳＢ）３．０データ・ポートを用いる方法であって、
前記データ・ポートに挿入されたコネクタがＵＳＢコネクタである場合に、前記レガシーＵＳＢ２．０データ転送回路と、ＵＳＢ３．０標準規格に準拠する前記第１及び第２のＵＳＢ３．０データ転送回路とを用いるステップと、
前記データ・ポートに挿入されたコネクタがＭＨＬコネクタである場合に、ＭＨＬ標準規格に準拠する画素クロック回路として前記レガシーＵＳＢ２．０データ転送回路を用い、前記ＭＨＬ標準規格に準拠する画素データ回路として前記第１と第２のＵＳＢ３．０データ転送回路のうちの少なくとも一方のデータ転送回路を用いるステップと
を含むことを特徴とする方法。
【請求項１４】
前記データ・ポートの中へ挿入されたコネクタがＵＳＢコネクタであるか、又は、モバイル高品位リンク（ＭＨＬ）コネクタであるかを判定する判定ステップをさらに含むことを特徴とする請求項１３に記載の方法。
【請求項１５】
前記判定ステップは、
前記コネクタの終端間のインピーダンスを測定するステップと、
前記測定したインピーダンスに基づき、前記コネクタがＵＳＢコネクタであるか、又は、ＭＨＬコネクタであるかを決定するステップと
そ含むことを特徴とする請求項１３又は１４に記載の方法。
【請求項１６】
２つの異なるデータ転送規格に準拠してデータを転送するための、レガシー・ユニバーサル・シリアル・バス（ＵＳＢ）２．０データ転送回路と第１及び第２のＵＳＢ３．０データ転送回路とを有するデータ信号用のデータ入出力（Ｉ／Ｏ）回路を含むデータ・ポートを用いる方法であって、
前記データ・ポートに挿入されたコネクタが第１のデータ転送規格に関連づけられたコネクタである場合に、前記レガシーＵＳＢ２．０データ転送回路と、ＵＳＢ３．０標準規格に準拠する前記第１及び第２のＵＳＢ３．０データ転送回路とを用いて、ＵＳＢ３．０標準規格に基づく第１のデータ転送規格に準拠してデータＩ／Ｏ回路を構成するステップと、
前記データ・ポートに挿入されたコネクタが第２のデータ転送規格に関連づけられたコネクタである場合に、モバイル高品位リンク（ＭＨＬ）標準規格に準拠する画素クロック回路としてレガシーＵＳＢ２．０データ転送回路を用い、第１及び第２のＵＳＢ３．０データ転送回路のうちの少なくとも一方のデータ転送回路をＭＨＬ標準規格に準拠する画素データ回路として用いて、ＭＨＬ標準規格に基づく第２のデータ転送規格に準拠してデータＩ／Ｏ回路を構成するステップと
を含むことを特徴とする方法。
【請求項１７】
前記データ・ポートの中へ挿入されたコネクタが第１のデータ転送規格に関連づけられたコネクタであるか、第２のデータ転送規格に関連づけられたコネクタであるかを決定するステップをさらに含むことを特徴とする請求項１６に記載の方法。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
携帯電子装置であって、
ユニバーサル・シリアル・バス（ＵＳＢ）２．０標準規格に準拠して構成される第１のデータＩ／Ｏチャネルと、ＵＳＢ３．０標準規格に準拠して構成される第２及び第３のデータＩ／Ｏチャネルとを有し、前記携帯電子装置へ、又は、前記携帯電子装置から、データ通信を行うデータ入出力（Ｉ／Ｏ）回路（９）と、
ＵＳＢ３．０標準規格に基づく第１のデータ転送規格に準拠して前記データＩ／Ｏ回路を制御する第１のロジック部（２）と、
モバイル高品位リンク（ＭＨＬ）標準規格に基づく第２のデータ転送規格に準拠して前記データＩ／Ｏ回路を制御する第２のロジック部（４）と、
前記第１のデータ転送規格又は前記第２のデータ転送規格に準拠して前記データＩ／Ｏ回路の動作が行われるように、前記第１のロジック部又は前記第２のロジック部を選択的に前記データＩ／Ｏ回路に接続される切替ロジック部（８）と
を備え、
前記第２のロジック部が選択されると、前記第１のデータＩ／Ｏチャネルは、前記ＭＨＬ標準規格に準拠した画素クロック・チャネルとして構成され、前記第２及び第３のデータＩ／Ｏチャネルの少なくとも１つは、前記ＭＨＬ標準規格に準拠した画素データ・チャネルとして構成されることを特徴とする携帯電子装置。
【請求項２】
前記切替ロジック部を動作可能に接続される制御回路と、
前記データＩ／Ｏ回路へ動作可能に接続されるレセプタクルと、
前記レセプタクルと、前記制御回路とに動作可能に接続される検出回路と
をさらに備え、
前記検出回路は、
前記レセプタクルに接続されるコネクタのタイプを検出し、前記制御回路に前記コネクタのタイプを通知し、
前記制御回路は、
前記コネクタのタイプに基づいて、前記第１のロジック部又は前記第２のロジック部を選択するように、前記切替ロジック部に命令することを特徴とする請求項１に記載の携帯電子装置。
【請求項３】
前記切替ロジック部と前記データＩ／Ｏ回路との間に接続され、第１形式のデータを、前記第１形式とは異なる第２形式のデータに変換するロジック／ドライバ・インタフェース回路をさらに備えることを特徴とする請求項２に記載の携帯電子装置。
【請求項４】
前記切替ロジック部は、第１の入力部と、第２の入力部と、出力部とを備え、
前記第１の入力部は、前記第１のロジック部に動作可能に接続され、
前記第２の入力部は、前記第２のロジック部に動作可能に接続され、
前記出力部は、前記データＩ／Ｏ回路に動作可能に接続されることを特徴とする請求項１乃至３の何れか１項に記載の携帯電子装置。
【請求項５】
前記切替ロジック部は、前記第１の入力部又は前記第２の入力部を前記出力部へ選択的に接続される選択入力部をさらに備えることを特徴とする請求項４に記載の携帯電子装置。
【請求項６】
前記データＩ／Ｏ回路は、少なくとも３つのチャネルを有し、
各チャネルは、差動対として構成されることを特徴とする請求項１乃至５の何れか１項に記載の携帯電子装置。
【請求項７】
前記携帯電子装置は、モバイル電話機、ページャ、電子手帳、パーソナル・デジタル・アシスタント、及びスマートフォンのうちの少なくとも１つであることを特徴とする請求項１乃至６の何れか１項に記載の携帯電子装置。
【請求項８】
前記データＩ／Ｏ回路、前記第１のロジック部、前記第２のロジック部及び前記切替ロジック部は同じチップ上に形成されることを特徴とする請求項１乃至７の何れか１項に記載の携帯電子装置。
【請求項９】
２つの異なるデータ転送規格に準拠してデータを転送するために、レガシー・ユニバーサル・シリアル・バス（ＵＳＢ）２．０データ転送回路と、第１及び第２のＵＳＢ３．０データ転送回路と、を含むＵＳＢ３．０データ・ポートを用いる方法であって、
前記データ・ポートに挿入されたコネクタがＵＳＢコネクタである場合に、前記レガシーＵＳＢ２．０データ転送回路と、前記ＵＳＢ３．０標準規格に準拠する前記第１及び第２のＵＳＢ３．０データ転送回路とを用いるステップと、
前記データ・ポートに挿入されたコネクタがＭＨＬコネクタである場合に、ＭＨＬ標準規格に準拠する画素クロック回路として前記レガシーＵＳＢ２．０データ転送回路を用い、前記ＭＨＬ標準規格に準拠する画素データ回路として前記第１と第２のＵＳＢ３．０データ転送回路のうちの少なくとも一方のデータ転送回路を用いるステップと
を含むことを特徴とする方法。
【請求項１０】
前記データ・ポートの中へ挿入されたコネクタがＵＳＢコネクタであるか、又は、モバイル高品位リンク（ＭＨＬ）コネクタであるかを判定する判定ステップをさらに含むことを特徴とする請求項９に記載の方法。
【国際調査報告】
2011524096.tif 000009
2011524096.tif 000010
2011524096.tif 000011